(57)【特許請求の範囲】
【請求項１】
背面にプロファイルを有する注型エラストマーベルトの製造用金型装置において、ベルトを成形する金型が、外型、内型及びプロファイル形状を形どった空間部を有する少なくとも一つ以上のプロファイル成形用金型からなり、そしてプロファイル成形用金型の空間部と外型と内型との間に形成された空間部とを連通させて、液状エラストマーを充填するようにしたことを特徴とする注型エラストマーベルトの製造用金型装置。
【請求項２】
上記プロファイル成形用金型内の空間部にブロックが挿入固定される請求項１に記載の注型エラストマーベルトの製造用金型装置。
【請求項３】
上記注型エラストマーベルトの製造用金型装置において、プロファイル成形用金型を外型に固着し、上記ブロックのみ着脱自在としたことを特徴とする請求項２に記載の注型エラストマーベルトの製造用金型装置。
【請求項４】
上記ブロックがプロファイル成形用金型内の空間部に位置決めピンにて固定される請求項２又は３記載の注型エラストマーベルトの製造用金型装置。
【請求項５】
背面にプロファイルを有する注型エラストマーベルトの製造用金型装置において、ベルトを成形する金型が外型、内型及び外型に固着したもので、プロファイル形状を形どった空間部を有する少なくとも一つ以上のプロファイル成形用金型からなり、上記注型エラストマーベルト成形時にはプロファイル成形用金型内の空間部にブロックを挿入した後、位置決めピンにて固定し、そしてプロファイル成形用金型の空間部と外型と内型との間に形成された空間部とを連通させて、液状エラストマーを充填するようにしたことを特徴とする注型エラストマーベルトの製造用金型装置。
【発明の詳細な説明】
【０００１】
【発明の属する技術分野】
本発明は注型エラストマーベルトの製造用金型装置に係り、液状ポリウレタン等のエラストマー材料を原料としたもので、プロファイルの形状を改善した注型エラストマーベルトの製造用金型装置に関する。
【０００２】
【従来の技術】
従来、背面にプロファイルを有するベルトは、ベルト本体及びプロファイル部が熱可塑性樹脂でできており、ベルト本体にプロファイルを熱融着したものであったが、プロファイルが搬送中に繰り返し応力を受けると、ベルトとプロファイルの間に亀裂が生じがちであった。即ち、搬送中などにプロファイルにかかる曲げ応力は融着部に集中しやすく、比較的短い時間で亀裂が入った。
上記亀裂を防止するためにベルト本体及びプロファイルを注型エラストマー製とし、ベルト本体とプロファイルとを一体成形したベルトが得られた。しかし、このベルトは一体成形したことでベルト本体とプロファイルの接着力が向上し確かにプロファイルを熱融着したベルトに比較すると、亀裂は入りにくくなったが、まだ十分ではなかった。そこで、図７に示すように従来の注型エラストマーベルト３１に物品搬送部３７とそれを補強する支持部３８とを設け、亀裂の防止を図った。
【０００３】
【発明が解決しようとする課題】
しかし、図７の様にプロファイルの物品搬送部３７とそれを補強する支持部３８とが一体となって注型エラストマーで充填されているため、プロファイルが固着している部分のベルト本体３９が曲がりにくく、その為に図９に示す様にプーリと係合したときにプーリとのかみ合いに不都合が生じていた。
【０００４】
本発明はこのような問題点を改善するものであり、プロファイルに亀裂が入りにくく、プロファイルが固着している部分のベルト本体が曲がり易く、プーリとのかみ合いを良好にした注型エラストマー製歯付ベルトの製造用金型装置を提供することを目的とする。
【０００５】
【課題を解決するための手段】
即ち、本発明は、ベルトを成形する金型が、外型、内型及びプロファイル形状を形どった空間部を有する少なくとも一つ以上のプロファイル成形用金型からなり、そしてプロファイル成形用金型の空間部と外型と内型との間に形成された空間部とを連通させて、液状エラストマーを充填するようにした注型エラストマーベルトの製造用金型装置を特徴とするところである。
【０００６】
更に、本発明はプロファイル成形用金型内の空間部にブロックが挿入固定される注型エラストマーベルトの製造用金型装置も含み、プロファイル成形用金型を外型に固着し、ブロックのみ着脱自在とした注型エラストマーベルトの製造用金型装置も含む。
【０００７】
又、本発明はブロックがプロファイル成形用金型内の空間部に位置決めピンにて固定されることも特徴であり、最終的に上記の各構成を総合し、背面にプロファイルを有する注型エラストマーベルトの製造用金型装置において、ベルトを成形する金型が外型、内型及びプロファイル形状を形どった空間部を有する少なくとも一つ以上の外型に固着したプロファイル成形用金型からなり、上記注型エラストマーベルト成形時にはプロファイル成形用金型内の空間部に挿入し、位置決めピンにて固定し、そしてプロファイル成形用金型の空間部と外型と内型との間に形成された空間部とを連通させて、液状エラストマーを充填するようにした注型エラストマーベルトの製造用金型装置も特徴とするところである。
【０００８】
【作用】
本発明によれば、背面にプロファイルを有する注型エラストマーベルトにおいて、プロファイルを物品搬送板とそれを補強する支持板とに分け、物品搬送板と支持板との間に空間を設けることによって、プロファイルが固着している部分のベルト本体が曲がり易くなり、プーリとのかみ合いが良好となる。又、上記プロファイルの物品搬送板と支持板とがベルト本体と一体成形されていることによってプロファイルに亀裂が入りにくくなる。
【０００８】
又、プロファイル成形用金型が外型に固着しており、ブロックのみ着脱自在としたことにより、ベルト成形体を離型する場合にはベルト成形体に付着したブロックのみ取り外し、再度使用すればよく離型時毎にプロファイル成形用金型を取り外す場合と比較して、工数が低減できる。
【０００９】
【発明の実施の形態】
以下、更に本発明の実施の形態を添付図面に基づいて説明する。
図１は、本発明の注型エラストマーベルトの側面図を示している。ここで、プロファイル３が物品搬送板７と支持板８とに分けられ、物品搬送板７と支持板８との間には空間９が存在する。
又物品搬送板７及び支持板８はベルト本体２と一体成形されている。
ここで、物品搬送板の角度αは６０°〜１２０°で使用可能であるが、９０°とするのが最も好ましい。又、支持板８の角度θは通常３０°〜６０°で使用されるが、平均して力を支持するためには、４５°が好ましい。
【００１０】
ここで、注型エラストマーベルト１は、ベルト長手方向に沿って複数の歯部４と、心線５を複数本配置して埋設した背部６、そして背部６上にはプロファイル３が一体成形されている。
【００１１】
前記歯部４、背部６及びプロファイル３に使用されるエラストマーは、熱硬化性ポリウレタンエラストマーが好ましい。
心線５としては、ポリエステル繊維、パラ系アラミド繊維（商品名：トワロン、ケプラー、テクノーラ）、金属繊維（ワイヤー）或いはガラス繊維（Ｅガラス、高強度ガラス）のいずれでも良く、その構成、太さ、撚り数等には左右されない。
【００１２】
図２は本発明において用いる注型エラストマーベルト製造用金型装置の断面図である。これによると本発明の金型装置１０は、外型１１と、この外型１１へ嵌挿する内型１２及び外型１１に固着されているプロファイル成形用金型１３からなり、外型１１と内型１２の間には注型エラストマーを充填させる空間部１５を有している。尚、この内型１２は軸方向に延びる溝を設けた歯付ベルト用の型であるが、平坦な外周面を有した型であっても良い。
【００１３】
そして、上記外型１１の外側には、少なくとも一つのプロファイル成形用金型１３が固着されている。プロファイル成形用金型１３の数はベルトに設けるプロファイルの数によって適宜変えることができる。プロファイル成形用金型は外型１１を周方向に等分した位置で固着することが好ましい。
【００１４】
又、上記プロファイル成形用金型１３は通常３枚の所定の厚みを持った板からなるが、少なくとも１枚以上であれば良い。又、板の厚みはベルト幅によって適宜変わる。さらに該プロファイル成形用金型内には図４のようにプロファイル形状を形どった空間３がある。このプロファイル形状は用途によって変わり、特に制限されないが、物品を搬送する場合は、物品搬送部とそれを補強する支持部で構成された形状が好ましい。
【００１５】
さらに、上記プロファイル成形用金型１３内に図５に示す三角形状をしたブロック２１の挿入を行う。プロファイル成形用金型１３内にブロック２１を挿入した状態を示した平面図が図６である。ここで、ブロック２１を挿入し、位置決めピン１７でプロファイル成形用金型１３内に固定することによって、注型エラストマー液がブロック２１部分に流入せず、注型エラストマーベルト成形後ブロック２１によってプロファイルが物品搬送部７とそれを補強する支持部８とに分けられ、ブロックを挿入した部分は空間となる。
【実施例】
以下、更に本発明の具体的実施例を掲げる。
【００１６】
まず、１５ｍｍの厚みの上板及び下板、そして２４．５ｍｍの厚みでプロファイル形状がくり抜いてある中板を上板、中板、下板の順に積層しボルトにて固定し、プロファイル成形用金型とした。更に、該プロファイル成形用金型を外型にボルトにて固着した。
【００１７】
次いで、ブロックをプロファイル成形用金型内に挿入し、位置決めピンにて位置決めを行い、プロファイル成形用金型内に固定した。更に、プロファイル成形用金型を固着した外型にパラ系アラミド繊維からなるＳ、Ｚ一対の撚りコードを所定の張力でスピニングを行った内型を組み込んだ。
【００１８】
次いで、上記組み込みが終わった型を移動させて減圧して真空状態にある室内に入れ、ホースを介し予め脱泡した所定量の液状ポリウレタン原料（プレポリマー１００重量部、３，３´−ジクロロ４，４´アミノジフェニルメタンである硬化剤で１２重量部、可塑剤２０重量部）を注型した。その後、種々の金型温度と時間で液状ポリウレタンを硬化させた。
【００１９】
硬化後に内型を上方向へ持ち上げ、内型を注型エラストマー成形体を装着した外型から抜き取った後、位置決めピンを外し注型エラストマー成形体をブロックと共に取り出した。その後、注型エラストマー成形体からブロックを外し、所定の幅にカットを行い、注型エラストマーベルトを得た。得られたベルトサイズは、Ｔ１０−２５−１２０であった。
【００２０】
又、従来例としてプロファイル成形用金型内の空間にブロックを挿入せずに実施例と同じ金型、外型及び同じ材料で注型エラストマーベルトを作製した。ここで、従来例は、プロファイルの物品搬送部とそれを補強する支持部とが一体となって注型エラストマーで充填されたものであった。
【００２１】
次に、実施例及び従来例をＴ１０歯型の歯数が２０歯であるプーリにかみ合わせた。その状態を図８及び図９に示す。ここで、図８は実施例のベルトのかみ合い状態を示す図でプロファイルの物品搬送板とそれを補強する支持板との間に空間があることによって、両方の板が湾曲しプーリとのかみ合いが良くなっている。
又、図９は従来例のベルトのベルトのかみ合い状態を示す図でプロファイル中にはウレタンが充填している為に、プロファイルの剛性が高くなり、プロファイルの根元にあるベルト歯が曲がりにくく、プーリ歯とかみ合わなく、本発明の効果が確認された。
【００２２】
【発明の効果】
本発明は前述した如く背面にプロファイルを有する注型エラストマーベルトにおいて、プロファイルを物品搬送板とそれを補強する支持板とに分け、物品搬送板と支持板との間に空間を設けることによって、プロファイルが固着している部分のベルト本体が曲がりやすくなり、プーリとのかみ合いが良好となる顕著な効果を有する。又、上記プロファイルの物品搬送板と支持板とがベルト本体と一体成形されていることによってプロファイルに亀裂が入りにくくなる。
又、上記注型エラストマーベルトの製造用金型装置において、プロファイル成形用金型が外型に固着しており、ブロックのみ着脱自在としたことにより、ベルト成形体を離型する場合にはベルト成形体に付着したブロックのみ取り外し、再度使用すればよく、工数が低減できる効果を有する。
【図面の簡単な説明】
【図１】          本発明に係る注型エラストマーベルトの側面図である。
【図２】          本発明に係る注型エラストマーベルト製造用金型装置の断面図である。
【図３】          本発明に係る注型エラストマーベルト製造金型装置の平面図である。
【図４】          プロファイル成形用金型の平面図である。
【図５】          プロファイル成形用金型中に挿入するブロックの平面図である。
【図６】          プロファイル成形用金型にブロックを挿入した図である。
【図７】          従来例の注型エラストマーベルトの側面図である。
【図８】          本発明の注型エラストマーベルトをプーリにかみ合わせた図である。
【図９】          従来例の注型エラストマーベルトをプーリにかみ合わせた図である。
【符号の説明】
１  注型エラストマーベルト
２  ベルト本体
３  プロファイル
４  歯部
５  心線
６  背部
７  物品搬送板
８  支持板
９  空間
１０  金型装置
１１  外型
１２  内型
１３  プロファイル成形用金型
１７  位置決めピン
１８  物品搬送部
１９  支持部
２０  プーリ
２１  ブロック
【図１】
0003725939.tif 000002
【図２】
0003725939.tif 000003
【図３】
0003725939.tif 000004
【図４】
0003725939.tif 000005
【図５】
0003725939.tif 000006
【図６】
0003725939.tif 000007
【図７】
0003725939.tif 000008
【図８】
0003725939.tif 000009
【図９】
0003725939.tif 000010